(57)【要約】【課題】接栓座の向きをできるだけ自由に変え得る信号分配器、分岐器を提供すること。【解決手段】信号分配器／分岐器１００の筐体１１０に取り付けられる同軸接栓座において、側面形状がＬ字型で先端に接続口を有する接栓座１２２と、側壁に前記接栓座の基部を回転可能に支持し、底面が締付具１３０を介して前記筐体の面に固定される接栓台１２１とをそなえたことを特徴とする同軸接栓座ユニット。【選択図】図１
2009295495.tif 000002
【特許請求の範囲】
【請求項１】
信号分配器／分岐器の筐体に取り付けられる同軸接栓座において、
側面形状がＬ字型で先端に接続口を有する接栓座と、
側壁に前記接栓座の基部を回転可能に支持し、底面が締付具を介して前記筐体の面に固定される接栓台と
をそなえ、前記接栓座を自在に回転させるようにしたことを特徴とする同軸接栓座ユニット。
【請求項２】
請求項1記載の同軸接栓座ユニットにおいて、
前記締付具は、ナット締め構造であることを特徴とする同軸接栓座ユニット。
【請求項３】
請求項1記載の同軸接栓座ユニットにおいて、
前記締付具は、ねじ締め構造であることを特徴とする同軸接栓座ユニット。
【請求項４】
請求項1記載の同軸接栓座ユニットにおいて、
前記接栓台は、内部にクランク状の同軸線路を有することを特徴とする同軸接栓座ユニット。
【請求項５】
請求項１記載の同軸接栓座ユニットを複数個搭載した信号分配器／分岐器。
【発明の詳細な説明】
【技術分野】
【０００１】
本発明は、同軸接栓座ユニットに係り、とくに信号分配器／分岐器の筐体に取り付けられて同軸コネクタの接続作業を容易に行うために自在な角度を採り得る自在同軸接栓座ユニットに関する。
【背景技術】
【０００２】
例えば信号分配器、信号分岐器では、多数本の同軸ケーブルが同軸コネクタを用いて繋ぎ込まれている。一方、信号分配器、信号分岐器は、例えば配電盤の一隅に組み込まれる関係上、小型化が求められている。そして、筐体の外面に多数のコネクタ受けが設けられており、同軸コネクタの繋ぎ込み作業に当っては、コネクタ受け間の狭隘な空間での作業を強いられるのが通例である。
【０００３】
そこで、信号分配器における同軸ケーブルを接続するための接栓座を回転し得るようにして作業空間を確保しようとするものが提供されている（特許文献１参照）。
【特許文献１】特開２００４−２４７２２８号公報
【発明の開示】
【発明が解決しようとする課題】
【０００４】
しかしながら、同軸ケーブルはかなり剛性が高く引き回しに力を必要とする関係上、種々の方向から引き込まれる同軸ケーブルの軸心と信号分配器の接栓座の軸心とが異なる方向を向いているときは、接続作業が難航し作業時間が長くなる。
【０００５】
本発明は、上述の点を考慮してなされたもので、接栓座の向きをできるだけ自由に変え得る信号分配器、分岐器を提供することを目的とする。
【課題を解決するための手段】
【０００６】
上記目的達成のため、本発明では、
信号分配器／分岐器の筐体に取り付けられる同軸接栓座において、
側面形状がＬ字型で先端に接続口を有する接栓座と、
側壁に前記接栓座の基部を回転可能に支持し、底面が締付具を介して前記筐体の面に固定される接栓台と
をそなえたことを特徴とする同軸接栓座ユニット、
を提供する。
【発明の効果】
【０００７】
本発明は上述のように、接栓座が接栓台により回転可能に支持され、かつ接栓台の底面が締付具により筐体に固定される構成であるため、接栓座を回転させ得るうえに締付具を締め付ける前は接栓台を回転させることができ、同軸ケーブルが３次元的に種々の方向から引き込まれても対応することができる。
【発明を実施するための最良の形態】
【０００８】
以下、添付図面を参照して本発明の実施例を説明する。
【実施例１】
【０００９】
図１(a)，(b)は、本発明を適用した信号分配器／分岐器１００の外観を示した斜視図およびその右側面図である。ここでは、筐体１１０を２段のひな壇状に構成し５個のユニット構成された同軸接栓座１２０を、２段に配置して上段に３個、下段に２個並べている。
【００１０】
同軸接栓座１２０は、筐体１１０に取り付けられる接栓台１２１と、接栓台１２１に回転可能に支持される接栓座１２２とを有するユニットとして構成されており、一つずつ図示しない締付具により底面で筐体１１０に固定される。
【００１１】
接栓台１２１は、図示しない締付具を締め付ける前は、筐体１１０の上面で回転可能である。接栓台１２１の側壁に回転可能に取り付けられたＬ字型の接栓座１２２は、図１(b)に示すように、接栓台１２１の側壁面と平行な面内で回転可能であり、筐体１１０の上段にあるものは２１０度、下段にあるものは１３５度の範囲で回転することができる。
【００１２】
この結果、接栓台１２１および接栓座１２２の回転可能範囲を最大限に利用すれば、通常の同軸ケーブル引き込み方向の殆ど全てに対応できるといっても過言ではない。
【００１３】
図２(a)，(b)，(c)は、同軸ケーブル２００を接栓座ユニット１２０に繋ぎ込む様子を示したもので、図２(a)は同軸ケーブル２００が垂直方向から引き込まれる場合を、図２(b)は水平方向左側から引き込まれる場合を、図２(c)は水平方向の右斜め後ろから引き込まれる場合を示している。
【００１４】
接栓座１２２に対する同軸ケーブルの繋ぎ込みは、一つずつ行うので、各接栓座ユニット１２０の接栓台１２１、接栓座１２２を回転させつつ繋ぎ込みを行い、最後に全ての接栓台１２１の締付具を締め付けて繋ぎ込み作業を完了することができる。
【００１５】
図２(a)の場合は、同軸ケーブル２００が接栓座１２２の真上から引き込まれるため、接栓座１２２を垂直方向の真上を向けておけばよく、接栓台１２１は回転する必要がない。接栓座１２２と同軸ケーブル２００との芯合わせをして接栓座１２２に同軸ケーブル２００を差込み、ナット２０２を回して接栓座１２２に同軸ケーブル２００を固定する。ケーブル２０１は、ナット２０２を有する接栓に留め具２０３によって固定されている。図２(b)の場合も、接栓台１２１を回転させる必要がない点は、図２(a)と同様である。  
一方、図２(c)の場合は、同軸ケーブル２００が斜め方向から引き込まれるため、接栓台１２１を約４５度程度、反時計方向に回転させて接栓座１２２を同軸ケーブル２００に芯合わせしている。
【００１６】
図３(a)，(b)は、接栓台１２１を筐体１１０に固定する締付構造を示したもので、筐体１１０の内部下方から筐体１１０の上壁面を見た状態を示している。そして、図３(a)は接栓台１２１を筐体１１０に取り付ける直前の状態を、図３(b)は取り付け後の状態をそれぞれ示している。
【００１７】
接栓台１２１の筐体１１０への取り付けは、接栓台１２１の底面に設けられたねじ部１２４を筐体１１０の口金１１１に差し込んで、筐体１１０の上壁面内側からナット１３０をねじ部１２４に締め込んでいくことにより行う。
【００１８】
したがって、締付途中では、接栓台１２１は口金１１１の中心位置を中心として回転することができる。そして、ナット１３０を締め込んで接栓台１２１を筐体１１０に固定すると、同軸ケーブル２００は接栓台１２１に固定され、接栓台１２１の中心導体１２３が同軸ケーブル２００の中心導体に接続された状態となる。
【００１９】
図４は、接栓座ユニット１２０の単体形状を示した斜視図である。接栓座ユニット１２０は、接栓台１２１と接栓座１２２とにより構成される。接栓台１２１は、ねじ部１２４を中心として水平面内で回転し、接栓座１２２は接栓台１２１に取り付けられた基部を中心に垂直面内で回転する。
【００２０】
図５は、接栓台１２１および接栓座１２２の内部構造を示す分解斜視図である。接栓台１２１は、ほぼ直方体形状をしていて、その一つの側壁面に、接栓座１２２を回転可能に支持し、底面が筐体１１０の丸穴にねじ部１２４が挿入されてナット１３０で固定される。ねじ部１２４の内部には、導体１２３ａおよび絶縁体１２３ｂにより構成される中心導体１２３が収容されている。
【００２１】
一方、接栓座１２２は、接栓台１２１の側壁に開けられた丸穴に基部が挿入されてＥ型またはＣ型の抜け止めリング１２８が装着され、回転可能に支持された状態となる。そして、接栓台１２１の上面に蓋１２９が被せられる。
【００２２】
接栓座１２２の内部には、中心導体１２５ａ、絶縁体１２５ｂ，１２５ｃが同軸ケーブル２００の挿入側に、また接栓台１２１側にはＬ字型に曲がった中心導体１２７および円筒状の絶縁体１２６が挿入されている。これにより、接栓座１２２および接栓台１２１の内部には、クランク状の同軸信号路が形成される。
【実施例２】
【００２３】
図６は、図４に示した接栓座ユニット１２０を筐体１１０の上壁面に取り付けた状態を示したものである。接栓台１２１は、筐体１１０の上壁面で回転可能であり、接栓座１２２は接栓台１２１の側壁面上で首振り状に回転可能である。
【実施例３】
【００２４】
図７は、図４における接栓台１２１ａの下部に設けられたねじ部１２４に換えてナット１２４ａを設けた例を示している。この場合、ナット１２４ａは接栓の外部導体を構成し、中心部には接栓（図示せず）が設けられる。
【実施例４】
【００２５】
図８(a)，(b)は、図４における接栓台１２１に換えて基本的には回転構造を持たない接栓台１２１ａを示している。この非回転式接栓台１２１ａは、ねじ１４０によって筐体１１０に固定されるもので、一つの分配器／分岐器の筐体に取り付けられる複数の接栓台中の一部として利用できる。他の接栓台１２１が回転できるため、その隣に配される接栓台として非回転式接栓台１２１ａを用いることができる。図４の接栓台に比べて厚入銘板がなく、安価である。
【図面の簡単な説明】
【００２６】
【図１】図1(a)，(b)は本発明の一実施例の構成を示す斜視図および右側面図。
【図２】図２は、接栓座に同軸ケーブルを接続する各態様を示した斜視図で、図２(a)は接栓座に垂直方向に、図2(b)は接栓座に水平方向に、図２(c)は接栓座に斜め水平方向に同軸ケーブルが差し込まれる場合をそれぞれ示している。
【図３】図３(a)は、接栓座１２１を筐体１１０に取り付ける直前の状態を、図３(b)は取り付け後の状態をそれぞれ示す斜視図。
【図４】本発明に用いる接栓座の一例を示す斜視図。
【図５】図４に示した接栓座の内部構造を示す分解斜視図。
【図６】図４に示した接栓座を筐体１１０に取り付けた状態を示す斜視図。
【図７】本発明に用いる接栓座の他の例を示す斜視図。
【図８】本発明に用いる接栓座の更に他の例を示す斜視図。
【符号の説明】
【００２７】
１００  分配器／分岐器
１１０  筐体
１２０  同軸接栓座  
１２１  接栓台
１２１ａ  接栓台
１２２  接栓座
１２３  中心導体
１２３ａ  導体
１２３ｂ  絶縁体
１２４  ねじ部
１２５ａ  中心導体
１２５ｂ，１２５ｃ  絶縁体
１２６  絶縁体
１２７  中心導体
１２８  抜け止めリング
１２９  蓋
１３０  ナット
１４０  ねじ
２００  同軸ケーブル
２０１  ケーブル
２０２  F型接栓
２０３  カシメリング
【図１】
2009295495.tif 000003
【図２】
2009295495.tif 000004
【図３】
2009295495.tif 000005
【図４】
2009295495.tif 000006
【図５】
2009295495.tif 000007
【図６】
2009295495.tif 000008
【図７】
2009295495.tif 000009
【図８】
2009295495.tif 000010